(57)【特許請求の範囲】
【請求項１】
絶縁性のハウジングと、該ハウジングに取付けられ、各々がケーブルのディスクリート電線に接続される電線接続部及び回路基板に接続されたヘッダコネクタの相手コンタクトに嵌合接触する雌型接触部を有するコンタクト群とを具備するケーブルコネクタにおいて、
前記電線接続部は、前記コンタクト群の各コンタクトの平板部から前記ハウジングの長手方向に折り曲げられた圧接部を具備し、
前記コンタクト群は、前記コンタクトの中心軸に対して一側に前記圧接部を有する第１コンタクトと、前記コンタクトの中心軸に対して他側に前記圧接部を有する第２コンタクトとが、交互に且つ前記ハウジングの長手方向に沿って１列に配列されて構成され、前記第１コンタクトの圧接部と前記第２コンタクトの圧接部は、互いに逆向きに開放する圧接スロットを有することを特徴とするケーブルコネクタ。
【発明の詳細な説明】
【０００１】
【発明の属する技術分野】
本発明は、ケーブルの複数のディスクリート電線を、回路基板に接続されたヘッダコネクタに接続するためのケーブルコネクタに関する。
【０００２】
【従来の技術】
従来、特開２０００−２３１９７１号公報及び特開平１０−２８４２０１号公報に開示されているように、フレキシブル回路基板（以下、ＦＰＣという）を、回路基板に接続されたヘッダコネクタに接続するためのケーブルコネクタが知られている。
【０００３】
このうち、図９に示す特開２０００−２３１９７１号公報に開示されたケーブルコネクタ１００は、絶縁ハウジング１１０と、この絶縁ハウジング１１０に所定ピッチで１列状に取付けられた複数のコンタクト１２０と、スライダ部材１３０と、絶縁ハウジング１１０及びスライダ部材１３０を覆う金属製シェル１４０とを具備している。
【０００４】
そして、各コンタクト１２０は、金属板を打ち抜き加工することによって形成され、一端側にＦＰＣ１５０の上面に形成された信号パターンに接触するＦＰＣ接触部１２１を備え、他端側に回路基板１８０に接続されたヘッダコネクタ１６０のコンタクト１７０に嵌合接触する雌型接触部１２２を備えている。
また、スライダ部材１３０は、ＦＰＣ１５０をコンンタクト１２０のＦＰＣ接触部１２１に対して押圧する機能を有し、金属製シェル１４０はＦＰＣ１５０の下面に形成された接地パターンに接触してＦＰＣ１５０を接地する機能を有するようになっている。
【０００５】
一方、図１０に示す特開平１０−２８４２０１号公報に開示されたケーブルコネクタ２００は、絶縁ハウジング２１０と、この絶縁ハウジング２１０に所定ピッチで１列状に取付けられた複数のコンタクト２２０と、スライダ部材２３０と、スライダ部材２３０に取付けられ、絶縁ハウジング２１０の上下面を摺動可能に挟持する金属製シェル２４０とを具備している。
【０００６】
そして、各コンタクト２２０は、金属板を打ち抜き及び曲げ加工することによって形成され、一端側にＦＰＣ２５０の上面に形成された信号パターンに接触するＦＰＣ接触部２２１を備え、他端側に回路基板２８０に接続されたヘッダコネクタ２６０のコンタクト２７０に嵌合接触する雌型接触部２２２を備えている。
また、スライダ部材２３０は、ＦＰＣ２５０をコンンタクト２２０のＦＰＣ接触部２２１に対して押圧する機能を有し、金属製シェル２４０はＦＰＣ２５０の下面に形成された接地パターンに接触してＦＰＣ２５０を接地する機能を有するようになっている。
【０００７】
【発明が解決しようとする課題】
しかしながら、これら従来の図９及び図１０に示されたケーブルコネクタ１００、２００のいずれにあっても、各コンタクト１２０、２２０がディスクリート電線に接続されるようにはなっていない。このため、いずれのケーブルコネクタ１００、２００もケーブルの複数のディスクリート電線をヘッダコネクタ１６０、２６０に接続することはできない。
【０００８】
一方、図９及び図１０に示されたケーブルコネクタ１００、２００において、各コンタクト１２０、２２０がディスクリート電線に接続されるようにＦＰＣ接触部１２１、２２１を単に変更しても、ディスクリート電線を圧着や圧接により接続すると構造上幅が太くなってしまうことから、複数のコンタクト１２０、２２０を列方向に高密度に配列することができない。
【０００９】
従って、本発明は上述の問題点に鑑みてなされたものであり、その目的は、ヘッダコネクタの相手コンタクト及びケーブルのディスクリート電線に接続可能なコンタクトを列方向に高密度に配置することができるケーブルコネクタを提供することにある。
【００１０】
【課題を解決するための手段】
上記問題を解決するため、本発明のうち請求項１に係るケーブルコネクタは、絶縁性のハウジングと、該ハウジングに取付けられ、各々がケーブルのディスクリート電線に接続される電線接続部及び回路基板に接続されたヘッダコネクタの相手コンタクトに嵌合接触する雌型接触部を有するコンタクト群とを具備するケーブルコネクタにおいて、前記電線接続部は、前記コンタクト群の各コンタクトの平板部から前記ハウジングの長手方向に折り曲げられた圧接部を具備し、前記コンタクト群は、前記コンタクトの中心軸に対して一側に前記圧接部を有する第１コンタクトと、前記コンタクトの中心軸に対して他側に前記圧接部を有する第２コンタクトとが、交互に且つ前記ハウジングの長手方向に沿って１列に配列されて構成され、前記第１コンタクトの圧接部と前記第２コンタクトの圧接部は、互いに逆向きに開放する圧接スロットを有することを特徴としている。
【００１１】
このケーブルコネクタによれば、第１コンタクトのディスクリート電線の電線接続部と第２コンタクトのディスクリート電線の電線接続部とが列方向において千鳥配列されることになり、隣り合う電線接続部の衝突を回避でき、ヘッダコネクタの相手コンタクト及びディスクリート電線に接続可能なコンタクト群を列方向に所定ピッチで高密度に配置することができる。
【００１２】
【発明の実施の形態】
次に本発明の実施形態を図面を参照して説明する。図１は、本発明に係るケーブルコネクタとヘッダコネクタとの嵌合状態を示す第１コンタクトの部分で断面した断面図である。図２は、本発明に係るケーブルコネクタの実施形態の正面図である。図３は、図２に示すケーブルコネクタの平面図である。図４は、図２に示すケーブルコネクタの右側面図である。図５は、図２に示すケーブルコネクタに使用される第２コンタクトを示し、（Ａ）は正面図、（Ｂ）は平面図である。
【００１３】
図１に示すように、本発明に係るケーブルコネクタ１は、回路基板ＰＣＢ上に実装されたヘッダコネクタ７０に嵌合し、ケーブルＣの複数のディスクリート電線Ｗをヘッダコネクタ７０に接続するようになっている。
このため、ケーブルコネクタ１は、絶縁性のハウジング１０と、ハウジング１０に取付けられ、各々がディスクリート電線Ｗに接続される電線接続部２２及び回路基板ＰＣＢに接続されたヘッダコネクタ７０の相手コンタクト９０に嵌合接触する雌型接触部２３を有するコンタクト群２０とを具備している。ハウジング１０は、図２及び図３に示すように、長手方向に延びる略矩形体で形成される。
【００１４】
そして、コンタクト群２０は、図１乃至図３に示すように、コンタクトの中心軸ＣＬに対して前側（図１における左側）に電線接続部２２を有する第１コンタクト２０Ａと、コンタクトの中心軸ＣＬに対して後側（図１における右側）に電線接続部２２を有する第２コンタクト２０Ｂとが、交互に且つ１列にハウジング１０の長手方向（列方向）に沿って所定ピッチＰで配列されて構成されている。これにより、第１コンタクト２０Ａのディスクリート電線Ｗの電線接続部２２と第２コンタクト２０Ｂのディスクリート電線Ｗの電線接続部２２とが列方向において千鳥配列されることになり、隣り合う電線接続部２２の衝突を回避でき、コンタクト群２０を列方向に所定ピッチＰで高密度に配置することができる。このコンタクト群２０を取付けるため、ハウジング１０には、コンタクト群２０を構成する第１コンタクト２０Ａ及び第２コンタクト２０Ｂを収容する複数のコンタクト収容通路１１が長手方向に沿って前記ピッチＰと同一のピッチで形成されている。実際には、コンタクト収容通路１１のピッチは約０．６ｍｍであり、隣接する第１コンタクト２０Ａ及び第２コンタクト２０Ｂ間のピッチＰも約０．６ｍｍとなっている。また、最も近い第１コンタクト２０Ａ同士のピッチは、その倍の約１．２ｍｍであり、最も近い第２コンタクト２０Ｂ同士のピッチも約１．２ｍｍとなっている。なお、後述するように、第１コンタクト２０Ａの電線接続部２２及び第２コンタクト２０Ｂの電線接続部２２は、それぞれの圧接部２２ａ，２２ｂが平板部２２ｃの上下両側からハウジング１０の長手方向右側（図２における右側）に同一方向に折り曲げられているため、隣接する第１コンタクト２０Ａの電線接続部２２及び第２コンタクト２０Ｂの電線接続部２２間のピッチＰ１も隣接する第１コンタクト２０Ａ及び第２コンタクト２０Ｂ間のピッチＰと同様にも約０．６ｍｍとなっている。
【００１５】
ここで、各第１コンタクト２０Ａは、図１に示すように、ハウジング１０の上方からコンタクト収容通路１１の側壁に圧入固定される圧入固定部２１と、圧入固定部２１の上方において中心軸ＣＬに対して前側に延びる前記電線接続部２２と、圧入固定部２１から中心軸ＣＬに対して前後対称に下方に延びる前記雌型接触部２３とを有している。各第１コンタクト２０Ａは、金属板を打抜き及び曲げ加工することによって形成される。そして、電線接続部２２は、圧入固定部２１の上方において中心軸ＣＬに対して前側に延びる平板部２２ｃと、平板部２２ｃの上下両側からハウジング１０の長手方向右側（図２における右側）に折り曲げられ、中央に圧接スロット（図示せず）を有する１対の圧接部２２ａ，２２ｂとから構成されている。圧接部２２ａ，２２ｂの各圧接スロットは、前側に開放しており、ディスクリート電線Ｗは圧接部２２ａ，２２ｂの前側から各圧接スロットに挿入されて圧接接続されるようになっている。また、雌型接触部２３は、圧入固定部２１から中心軸ＣＬに対して前後対称に下方に延びる１対の弾性接触片２３ａ，２３ｂで構成されている。ヘッダコネクタ７０の相手コンタクト９０は、１対の弾性接触片２３ａ，２３ｂの下側から弾性接触片２３ａ，２３ｂに嵌合接触する。なお、電線接続部２２の平板部２２ｃには、その平板部２２ｃから前側に延びる圧入部２４が設けられている。
【００１６】
また、各第２コンタクト２０Ｂは、図５に示すように、ハウジング１０の上方からコンタクト収容通路１１の側壁に圧入固定される圧入固定部２１と、圧入固定部２１の上方において中心軸ＣＬに対して後側に延びる前記電線接続部２２と、圧入固定部２１から中心軸ＣＬに対して前後対称に下方に延びる前記雌型接触部２３とを有している。各第１コンタクト２０Ｂも、第１コンタクト２０Ａと同様に、金属板を打抜き及び曲げ加工することによって形成される。そして、電線接続部２２は、圧入固定部２１の上方において中心軸ＣＬに対して後側に延びる平板部２２ｃと、平板部２２ｃの上下両側からハウジング１０の長手方向右側（図２における右側）に折り曲げられ、中央に圧接スロット２２ｄを有する１対の圧接部２２ａ，２２ｂとから構成されている。圧接部２２ａ，２２ｂの各圧接スロット２２ｄは、後側に開放しており、ディスクリート電線Ｗは圧接部２２ａ，２２ｂの後側から各圧接スロット２２ｄに挿入されて圧接接続されるようになっている。また、雌型接触部２３は、第１コンタクト２０Ａの雌型接触部２３と同様に、圧入固定部２１から中心軸ＣＬに対して前後対称に下方に延びる１対の弾性接触片２３ａ，２３ｂで構成されている。ヘッダコネクタ７０の相手コンタクト９０は、１対の弾性接触片２３ａ，２３ｂの下側から弾性接触片２３ａ，２３ｂに嵌合接触する。そして、電線接続部２２の平板部２２ｃには、第１コンタクト２０Ａと同様に、その平板部２２ｃから後側に延びる圧入部２４が設けられている。なお、第２コンタクト２０Ｂの圧入固定部２１上端であって中心軸ＣＬを挟んで電線接続部２２の反対側には、隆起部２５が形成されている。この隆起部２５は、図５におけるその右端がコンタクト収容通路１１の段部（図示せず）に当接することにより、第２コンタクト２０Ｂの図５（Ａ）における時計回りの傾きを防止するためのものである。この隆起部２５は、第１コンンタクト２０Ａにも形成されている。
【００１７】
前述の第１コンタクト２０Ａと第２コンタクト２０Ｂとは別の金型で製作される異なる形状となっているが、同一の金型で製作される同一形状のものとしてもよい。この場合、第１コンタクト２０Ａ及び第２コンタクト２０Ｂをハウジング１０に配列するに際し、それぞれの電線接続部２２をコンタクトの中心軸ＣＬに対して互いに反対側になるようにすればよい。
【００１８】
さらに、ケーブルコネクタ１には、図１乃至図３に示すように、第１コンタクト２０Ａの電線接続部２２を覆い隠すための絶縁性の前側カバー３０と、第２コンタクト２０Ｂの電線接続部２２を覆い隠すための絶縁性の後側カバー４０とが備えられている。このうち、前側カバー３０は、ハウジング１０の前面に沿って長手方向に延びる略矩形状体で、第１コンタクト２０Ａの圧入部２４に圧入される複数の圧入用開口３１を有し、これら圧入用開口３１を圧入部２４に圧入することにより、第１コンタクト２０Ａの電線接続部２２を覆う。また、後側カバー４０は、ハウジング１０の後面に沿って長手方向に延びる略矩形状体で、第２コンタクト２０Ｂの圧入部２４に圧入される複数の圧入用開口４１を有し、これら圧入用開口４１を圧入部２４に圧入することにより、第２コンタクト２０Ｂの電線接続部２２を覆う。
【００１９】
また、ケーブルコネクタ１には、図１乃至図４に示すように、シールド用の上側金属シェル５０と、シールド用の下側金属シェル６０とが設けられている。このうち、上側金属シェル５０は、後側カバー４０の後面を覆う後板部５１と、後板部５１の上端から後側カバー４０の上面に沿うように前側に折り曲げられ、ハウジング１０の上面から所定間隔離れて位置する上板部５２と、上板部５２の長手方向両端からハウジング１０の長手方向両側面に沿うように下側に折り曲げられた１対の側板部５３とを具備している。そして、上側金属シェル５０は、その後板部５１が後側カバー４０の後面に形成された複数の後板係止部４２によって係止されると共に、その側板部５３がハウジング１０の長手方向両側面に形成された複数の側板係止部１２に係止されることにより、取付けられる。この取付けの際に、上板部５２がハウジング１０の上面から所定間隔離れて位置するため、ハウジング１０の上側にディスクリート電線Ｗを収容するスペースを設けることができる。
【００２０】
一方、下側金属シェル６０は、前側カバー３０の前面を覆う前板部６１と、前板部６１の長手方向両端からハウジング１０の長手方向両側面に沿うように後側に折り曲げられた１対の側板部６２とを具備している。そして、下側金属シェル６０は、その前板部６１が前側カバー３０の前面に形成された複数の前板係止部３２によって係止されると共に、その側板部６２がハウジング１０の長手方向両側面に形成された複数の側板係止部１３に係止されることにより、取付けられる。上側金属シェル５０及び下側金属シェル６０は、金属板を打ち抜き及び曲げ加工することによって形成される。
【００２１】
ここで、上側金属シェル５０の後板部５１には、後板部５１から下方に突出する複数の弾性接触片部５４が形成され、各弾性接触片部５４の内側にはケーブルコネクタ１とヘッダコネクタ７０との嵌合時においてヘッダコネクタ７０の金属シェル８５の後面に接触するディンプル５５が設けられている。また、下側金属シェル６０の前板部６１には、前板部６１から下方に突出する複数の弾性接触片部６３が形成され、各弾性接触片部６３の内側にはケーブルコネクタ１とヘッダコネクタ７０との嵌合時においてヘッダコネクタ７０の金属シェル８５の前面に接触するディンプル６４が設けられている。
【００２２】
なお、上側金属シェル５０の上板部５２の前端部には下方に折り返される折り返し部５６が設けられ、下側金属シェル６０の前板部６１の上端部には一旦前方に折り曲げられてから上方に折り返される折り返し部６５が設けられている。これら折り返し部５６、６５は、先端を折り返して湾曲させることにより、ケーブルＣに対しての損傷を回避するようにしている。
【００２３】
以上の構成を有するケーブルコネクタ１を組み立てるには、先ず、ハウジング１０のコンタクト収容通路１１に上方から第１コンタクト２０Ａ及び第２コンタクト２０Ｂを、それぞれの雌型接触部２３が下方になるように圧入する。そして、ケーブルＣのディスクリート電線Ｗを、ハウジング１０の前側及び後側からそれぞれ第１コンタクト２０Ａの電線接続部２２の圧接部２２ａ，２２ｂ及び第２コンタクト２０Ｂの電線接続部２２の圧接部２２ａ，２２ｂに圧接する。次いで、前側カバー３０の圧入用開口３１をハウジング１０の前側から第１コンタクト２０Ａの圧入部２４に圧入して第１コンタクト２０Ａの電線接続部２２を覆うと共に、後側カバー４０の圧入用開口４１をハウジング１０の後側から第２コンタクト２０Ｂの圧入部２４に圧入して第２コンタクト２０Ｂの電線接続部２２を覆う。その後、下側金属シェル６０の前板部６１を前側カバー３０の前面に沿って上方から前板係止部３２によって係止すると共に、その側板部６２をハウジング１０の長手方向両側面に沿って上方から側板係止部１３に係止し、下側金属シェル６０を前側カバー３０及びハウジング１０に取付ける。最後に、上側金属シェル５０の後板部５１を後側カバー４０の後面に沿って上方から後板係止部４２によって係止すると共に、その側板部５３をハウジング１０の長手方向両側面に沿って上方から側板係止部１２に係止し、上側金属シェル５０を後側カバー４０及びハウジング１０に取付ける。これにより、ケーブルコネクタ１は完成する。
【００２４】
次に、図１及び図６乃至図８を参照してケーブルコネクタ１と嵌合するヘッダコネクタ７０について説明する。図６は、ヘッダコネクタの正面図である。図７は、図６に示すヘッダコネクタの平面図である。図８は、図６に示すヘッダコネクタの右側面図である。
ヘッダコネクタ７０は、長手方向に延びる絶縁性のハウジング８０と、ハウジング８０の長手方向に沿って前記第１コンタクト２０Ａ及び第２コンタクト２０ＢのピッチＰと同一のピッチＰで配列された複数のヘッダコンタクト（相手コンタクト）９０とを具備している。
【００２５】
ここで、ハウジング８０は、その中央部にケーブルコネクタ１を嵌合するための嵌合凹部８１を有すると共に、後面両側部にソルダペグ８４を取付けるための１対のペグ取付け部８２を有している。各ソルダペグ８４は、略Ｌ字形の金属板で、各ペグ取付け部８２の下方から圧入固定されてその下面が回路基板ＰＣＢ上に半田接続されるようになっている。また、ハウジング８０の前後面中央部には、嵌合凹部８１を除いたハウジング８０を覆う金属シェル８５が係止される１対のシェル係止部８３が突出形成されている。金属シェル８５は、ハウジング８０の上面を覆う上板部８６と、上板部８６の前端から下方に折り曲げられ、ハウジング８０の前面に形成されたシェル係止部８３に係止される前板部８７と、上板部８６の後端から下方に折り曲げられ、ハウジング８０の後面に形成されたシェル係止部８３に係止される後板部８８と、上板部８６の長手方向両端部から下方に折り曲げられてハウジング１０の長手方向両側面を覆う１対の側板部８９とから構成されている。なお、各ソルダペグ８４には、金属シェル８５の後板部８８に接触する複数のディンプル８４ａが設けられている。
【００２６】
そして、各ヘッダコンタクト９０は、金属板を打ち抜き加工することによって形成され、ハウジング８０に圧入固定される圧入固定部９１と、圧入固定部９１の下部から延びて回路基板ＰＣＢ上に半田接続される基板接続部９２と、圧入固定部９１から上方に延びて嵌合凹部８１内に突出する接触部９３とを具備している。この接触部９３は、第１コンタクト２０Ａ及び第２コンタクト２０Ｂの雌型接触部２３を構成する１対の弾性接触片２３ａ，２３ｂ間に嵌合接触する。
【００２７】
図１に示すように、ケーブルＣのディスクリート電線Ｗを接続したケーブルコネクタ１を回路基板ＰＣＢに実装されたヘッダコネクタ７０に嵌合すると、ハウジング１０が嵌合凹部８１内に入りこんで第１コンタクト２０Ａ及び第２コンタクト２０Ｂの１対の弾性接触片２３ａ，２３ｂ間にヘッダコンタクト９０の接触部９３が嵌合接触し、ディスクリート電線Ｗと回路基板ＰＣＢとが相互接続される。またこのとき同時に、上側金属シェル５０のディンプル５５及び下側金属シェル６０のディンプル６４が、それぞれ金属シェル８５の後板部８８の後面及び前板部８７の前面に接触し、上側金属シェル５０及び下側金属シェル６０が金属シェル８５及びソルダペグ８４を介して回路基板ＰＣＢ上に接地される。
【００２８】
以上、本発明の実施形態について説明してきたが、本発明はこれに限定されず、種々の変更を行うことができる。
【００２９】
例えば、雌型接触部２３は、ヘッダコネクタ７０のヘッダコンタクト９０に嵌合接触するものであれば、１対の弾性接触片２３ａ，２３ｂで構成される場合に限らず、例えば、１片の弾性接触片、あるいは箱型のリセプタクルであってもよい。
【００３０】
【発明の効果】
以上説明したように、本発明のうち請求項１に係るケーブルコネクタによれば、各々がケーブルのディスクリート電線に接続される電線接続部及び回路基板に接続されたヘッダコネクタの相手コンタクトに嵌合接触する雌型接触部を有するコンタクト群を備え、電線接続部は、コンタクト群の各コンタクトの平板部からハウジングの長手方向に折り曲げられた圧接部を具備し、コンタクト群は、コンタクトの中心軸に対して一側に前記圧接部を有する第１コンタクトと、コンタクトの中心軸に対して他側に前記圧接部を有する第２コンタクトとが、交互に且つ前記ハウジングの長手方向に沿って１列に配列されて構成され、前記第１コンタクトの圧接部と前記第２コンタクトの圧接部は、互いに逆向きに開放する圧接スロットを有するので、第１コンタクトのディスクリート電線の電線接続部における圧接部と第２コンタクトのディスクリート電線の電線接続部における圧接部とが列方向において千鳥配列されることになり、隣り合う圧接部の衝突を回避でき、ヘッダコネクタの相手コンタクト及びディスクリート電線に接続可能なコンタクト群を列方向に所定ピッチで高密度に配置することができる。
【図面の簡単な説明】
【図１】本発明に係るケーブルコネクタとヘッダコネクタとの嵌合状態を示す第１コンタクトの部分で断面した断面図である。
【図２】本発明に係るケーブルコネクタの実施形態の正面図である。
【図３】図２に示すケーブルコネクタの平面図である。
【図４】図２に示すケーブルコネクタの右側面図である。
【図５】図２に示すケーブルコネクタに使用される第２コンタクトを示し、（Ａ）は正面図、（Ｂ）は平面図である。
【図６】ヘッダコネクタの正面図である。
【図７】図６に示すヘッダコネクタの平面図である。
【図８】図６に示すヘッダコネクタの右側面図である。
【図９】従来例のケーブルコネクタとヘッダコネクタとの嵌合状態を示す断面図である。
【図１０】従来の他の例のケーブルコネクタとヘッダコネクタとの嵌合状態を示す断面図である。
【符号の説明】
１  ケーブルコネクタ
１０  ハウジング
２０  コンタクト群
２０Ａ  第１コンタクト
２０Ｂ  第２コンタクト
２２  電線接続部
２３  雌型接触部
７０  ヘッダッコネクタ
９０  ヘッダコンタクト（相手コンタクト）
Ｃ  ケーブル
Ｗ  電線
ＰＣＢ  回路基板
ＣＬ  コンタクトの中心軸
【図１】
0004627375.tif 000002
【図２】
0004627375.tif 000003
【図３】
0004627375.tif 000004
【図４】
0004627375.tif 000005
【図５】
0004627375.tif 000006
【図６】
0004627375.tif 000007
【図７】
0004627375.tif 000008
【図８】
0004627375.tif 000009
【図９】
0004627375.tif 000010
【図１０】
0004627375.tif 000011